(57)【要約】【課題】明るさにムラをなくして全体を均一に発光させることができる導光体とこれを備えた車両用灯具を提供すること。【解決手段】長手方向中間部にコの字状に屈曲する屈曲部３Ｂを有し、長手方向端部の入射面３ｂから入射する光を全反射させながら長手方向に沿って導く過程で、周面に形成されたカット面３ｄで反射させ、その反射光を周面に形成された出射面３ｃから出射させることによって発光する導光体３において、前記屈曲部３Ｂに前記カット面３ｄ以外の別のカット面３ｅを設ける。又、ＬＥＤ（光源）と、前記導光体３及びこれを収容するリフレクタ２を含んで車両用灯具１を構成する。【選択図】図４
2017041387.tif 000002
【特許請求の範囲】
【請求項１】
長手方向中間部にコの字状に屈曲する屈曲部を有し、長手方向端部の入射面から入射する光を全反射させながら長手方向に沿って導く過程で、周面に形成されたカット面で反射させ、その反射光を周面に形成された出射面から出射させることによって発光する導光体において、
前記屈曲部に前記カット面以外の別のカット面を設けたことを特徴とする導光体。
【請求項２】
光源と、請求項１記載の導光体及びこれを収容するリフレクタを含んで構成されることを特徴とする車両用灯具。
【発明の詳細な説明】
【技術分野】
【０００１】
本発明は、長手方向端部の入射面から入射する光を長手方向に沿って導く過程で反射させて出射面から出射させることによって発光する導光体とこれを備える車両用灯具に関するものである。
【背景技術】
【０００２】
例えば、テールランプ等の車両用灯具には、光源と、該光源からの光を長手方向端部の入射面から入射させて周面の出射面から出射させることによって発光する導光体を備えたものがある（例えば、特許文献１参照）。ここで、従来の導光体の一例を図５及び図６に示す。
【０００３】
即ち、図５は従来の導光体の正面図、図６は図５のＢ−Ｂ線断面図であり、図５に示す導光体１０３は、正面視Ｌ字状を成す棒状の部材であって、その一部には正面視コの字状に屈曲する屈曲部１０３Ｂが形成されている。この導光体１０３は、図６に示すリフレクタ１０２に収容されており、正面には、横断面形状が半円を成す円弧凸曲面状の２つの出射面１０３ｃが形成されており、背面の各出射面１０３ｃに対応する箇所にはカット面１０３ｄがそれぞれ形成されており、各カット面１０３ｄには複数のカット（図示せず）が長手方向に沿って連続的に形成されている。そして、導光体１０３の長手方向両端面は入射面１０３ｂとされており、各入射面１０３ｂの近傍には、光源である不図示のＬＥＤが各入射面１０３ｂに対向してそれぞれ配置されている。
【０００４】
而して、各ＬＥＤが発光すると、その光は、導光体１０３の各入射面１０３ｂから該導光体１０３の内部に入射し、導光体１０３の内部を全反射しながら長手方向に沿って互いに逆方向に進み、その過程で背面のカット面１０３ｄで反射して出射面１０３ｃから正面に向かって出射するため、導光体１０３の全体が発光する。
【先行技術文献】
【特許文献】
【０００５】
【特許文献１】特開２０１２−２４３５３９号公報
【発明の概要】
【発明が解決しようとする課題】
【０００６】
しかしながら、図５及び図６に示す従来の導光体１０３にあっては、屈曲部１０３Ｂが入光部である入射面１０３ｂから遠く離れているため、この屈曲部１０３Ｂが他の部位よりも暗くなり、明るさにムラが発生するという問題がある。
【０００７】
本発明は上記問題に鑑みてなされたもので、その目的とする処は、明るさにムラをなくして全体を均一に発光させることができる導光体とこれを備えた車両用灯具を提供することにある。
【課題を解決するための手段】
【０００８】
上記目的を達成するため、請求項１記載の発明は、長手方向中間部にコの字状に屈曲する屈曲部を有し、長手方向端部の入射面から入射する光を全反射させながら長手方向に沿って導く過程で、周面に形成されたカット面で反射させ、その反射光を周面に形成された出射面から出射させることによって発光する導光体において、前記屈曲部に前記カット面以外の別のカット面を設けたことを特徴とする。
【０００９】
請求項２記載の車両用灯具は、光源と、請求項１記載の導光体及びこれを収容するリフレクタを含んで構成されることを特徴とする。
【発明の効果】
【００１０】
請求項１記載の発明によれば、従来は他の部位よりも暗くなっていた屈曲部に別のカット面を追加したため、その追加したカット面で反射した光が暗くなっていた部分に照射されてその部分を明るく照らす。この結果、導光体の全体がムラなく明るく均一に発光する。
【００１１】
請求項２記載の発明によれば、請求項１記載の導光体を備える車両用灯具において、導光体が明るく均一に発光するため、当該車両用灯具の良好な点灯が実現してその視認性が高められる。
【図面の簡単な説明】
【００１２】
【図１】本発明に係る車両用灯具の分解斜視図である。
【図２】本発明に係る導光体の斜視図である。
【図３】本発明に係る導光体の正面図である。
【図４】図３のＡ−Ａ線断面図である。
【図５】従来の導光体の正面図である。
【図６】図５のＢ−Ｂ線断面図である。
【発明を実施するための形態】
【００１３】
以下に本発明の実施の形態を添付図面に基づいて説明する。
【００１４】
図１は本発明に係る車両用灯具の分解斜視図、図２は本発明に係る導光体の斜視図、図３は同導光体の正面図、図４は図３のＡ−Ａ線断面図である。
【００１５】
図１に示す車両用灯具１は、車両の後部左右に配置されるテールランプとして使用されるものであって、正面視Ｌ字状を成すリフレクタ２に同じく正面視Ｌ字状を成す導光体３を組み込んで構成されている。
【００１６】
上記リフレクタ２には、正面側に開口する正面視Ｌ字状の収納溝２Ａが形成されており、この収納溝２Ａには、導光体３が図１に矢印にて示すように正面側から組み込まれて収納される。ここで、図２に示すように、導光体３の背面の複数箇所には取付リブ３Ａが背面方向に向かって水平に突設されており、各取付リブ３Ａには矩形のフック孔３ａがそれぞれ形成されている。
【００１７】
他方、図４に示すように、リフレクタ２に形成された収納溝２Ａの内面の複数箇所（導光体３の取付リブ３Ａに形成されたフック孔３ａに対応する箇所）には爪状のフック２ａが一体に形成されており、導光体３を前述のようにリフレクタ２の収納溝２Ａに正面側から組み込むと、該導光体３の取付リブ３Ａに形成されたフック孔３ａにリフレクタ２側のフック２ａが係合するため、導光体３がリフレクタ２に確実に取り付けられて該リフレクタ２の収納溝２Ａに収容される。尚、本実施の形態では、リフレクタ２は不透明樹脂によって一体成形されており、その収納溝２Ａの内面にはアルミ蒸着等の反射処理が適宜施されている。
【００１８】
ところで、図３に示すように、導光体３は、導光性の高いアクリルやポリカーボネイト等の透明樹脂によって正面視Ｌ字状に一体成形されており、長手方向両端面は平坦な入射面３ｂとされており、各入射面３ｂの近傍には、光源である不図示のＬＥＤが各入射面３ｂに対向してそれぞれ配置されている。そして、この導光体３には、入光部である入射面３ｂから遠い位置に正面視コの字状に屈曲する屈曲部３Ｂが形成されている。
【００１９】
又、この導光体３においては、図４に示すように、その正面には、横断面形状が半円を成す円弧凸曲面状の２つの出射面３ｃが形成されており、背面の各出射面３ｃに対応する箇所にはカット面３ｄがそれぞれ形成されている。そして、本実施の形態では、従来は暗くなっていた導光体３の屈曲部３Ｂにおいては、背面の角部に円弧凹曲面状のカット面３ｅが追加されている。尚、各カット面３ｄ，３ｅには複数のカット（図示せず）が長手方向に沿って連続的に形成されている。
【００２０】
而して、以上のように構成された車両用灯具１において、各ＬＥＤが発光すると、その光は、導光体３の各入射面３ｂから該導光体３の内部に入射し、導光体３の内部を全反射しながら長手方向に沿って互いに逆方向に進み、その過程で背面のカット面３ｄ，３ｅで反射して出射面３ｃから正面に向かって出射するため、導光体３の全体が発光する。そして、本実施の形態では、従来は他の部位よりも暗くなっていた導光体３の屈曲部３Ｂに別のカット面３ｅを追加したため、図４に矢印にて示すように、その追加したカット面３ｅで反射した光が暗くなっていた部分に照射されてその部分を明るく照らす。この結果、導光体３の全体がムラなく明るく均一に発光する。尚、導光体３から背面側に漏れ出た光は、リフレクタ２で反射して導光体３の内部に再入射して該導光体３の発光に供せられるため、ＬＥＤからの光の利用効率が高められる。
【００２１】
そして、テールランプとして使用される図１に示す車両用灯具１においては、前述のように導光体３が明るく均一に発光するため、当該車両用灯具１の良好な点灯が実現してその視認性が高められる。
【００２２】
尚、以上は本発明をテールランプとして使用される車両用灯具とこれに設けられた導光体に対して適用した形態について説明したが、本発明は、他の任意の車両用灯具とこれに設けられた導光体に対しても同様に適用可能であることは勿論である。
【符号の説明】
【００２３】
１          車両用灯具
２          リフレクタ
２Ａ        リフレクタの収納溝
２ａ        リフレクタのフック
３          導光体
３Ａ        導光体の取付リブ
３Ｂ        導光体の屈曲部
３ａ        導光体のフック孔
３ｂ        導光体の入射面
３ｃ        導光体の出射面
３ｄ，３ｅ  導光体のカット面
【図１】
2017041387.tif 000003
【図２】
2017041387.tif 000004
【図３】
2017041387.tif 000005
【図４】
2017041387.tif 000006
【図５】
2017041387.tif 000007
【図６】
2017041387.tif 000008